(57)【要約】【課題】光学系の全長が短く小型でありながら、ブレ補正時でも高い結像性能を有する変倍光学系及びそれを備えた撮像装置を提供する。【解決手段】変倍光学系は、物体側から順に、正の屈折力を有する第１レンズ群と、負の屈折力を有する第２レンズ群と、正の屈折力を有する第３レンズ群と、負の屈折力を有する第４レンズ群と、を有し、変倍時、第２レンズ群と第４レンズ群は、光軸方向に移動し、第３レンズ群は、第１レンズ素子と、第２レンズ素子と、を有し、第１レンズ素子は、第２レンズ素子の隣に位置し、第２レンズ素子は、最も像側に位置し、第２レンズ素子のみを光軸と垂直方向に移動させることでブレを補正し、以下の条件式（１）、（２）を満足する。  −０．０５＜Δ1G／Δ2G＜０．０５      （１）  ０．１０＜ｄG3L12／ｄG3＜０．３５      （２）【選択図】図１
2019132887.tif 000002
【特許請求の範囲】
【請求項１】
物体側から順に、
正の屈折力を有する第１レンズ群と、
負の屈折力を有する第２レンズ群と、
正の屈折力を有する第３レンズ群と、
負の屈折力を有する第４レンズ群と、を有し、
変倍時、前記第２レンズ群と前記第４レンズ群は、光軸方向に移動し、
前記第３レンズ群は、第１レンズ素子と、第２レンズ素子と、を有し、
前記第１レンズ素子は、前記第２レンズ素子の隣に位置し、
前記第２レンズ素子は、最も像側に位置し、
前記第２レンズ素子のみを光軸と垂直方向に移動させることでブレを補正し、
以下の条件式（１）、（２）を満足することを特徴とする変倍光学系。
−０．０５＜Δ1G／Δ2G＜０．０５      （１）
０．１０＜ｄG3L12／ｄG3＜０．３５      （２）
ここで、
Δ1Gは、前記第１レンズ群の広角端から望遠端までの移動量、
Δ2Gは、前記第２レンズ群の広角端から望遠端までの移動量、
ｄG3L12は、前記第１レンズ素子と前記第２レンズ素子との空気間隔、
ｄG3は、前記第３レンズ群の厚さ、
である。
【請求項２】
前記第２レンズ素子は、正レンズであり、
以下の条件式（３）を満足することを特徴とする請求項１に記載の変倍光学系。
０．８００＜｜ｆG3L2／ｆG3｜＜２．５００      （３）
ここで、
ｆG3L2は、前記第２レンズ素子の焦点距離、
ｆG3は、前記第３レンズ群の焦点距離、
である。
【請求項３】
前記第３レンズ群は、最も物体側に物体側正レンズを有し、
以下の条件式（４）を満足することを特徴とする請求項１に記載の変倍光学系。
０．４００＜｜ｆG3Lo／ｆG3｜＜１．２００      （４）
ここで、
ｆG3Loは、前記物体側正レンズの焦点距離、
ｆG3は、前記第３レンズ群の焦点距離、
である。
【請求項４】
前記第２レンズ素子は、正レンズであり、
以下の条件式（５）を満足することを特徴とする請求項１に記載の変倍光学系。
−４＜ＳＦG3L2＜−０．２５      （５）
ここで、
ＳＦG3L2＝（ＲG3L2o＋ＲG3L2i）／（ＲG3L2o−ＲG3L2i）、
ＲG3L2oは、前記第２レンズ素子の物体側面の曲率半径、
ＲG3L2iは、前記第２レンズ素子の像側面の曲率半径、
である。
【請求項５】
以下の条件式（６）、（７）を満足することを特徴とする請求項１に記載の変倍光学系。
０．３００＜｜（１−βG3L2w）×βbackw｜＜１．０００      （６）
０．５００＜｜（１−βG3L2t）×βbackt｜＜２．０００      （７）
ここで、
βG3L2wは、広角端における前記第２レンズ素子の横倍率、
βG3L2tは、望遠端における前記第２レンズ素子の横倍率、
βbackwは、広角端における所定のレンズ群の横倍率、
βbacktは、望遠端における所定のレンズ群の横倍率、
前記横倍率は、無限遠物点合焦時の横倍率、
前記所定のレンズ群は、前記第３レンズ群よりも像側に位置する全てのレンズで構成されたレンズ群、
である。
【請求項６】
前記第３レンズ群は、１枚の正レンズ素子と、少なくとも１枚の負レンズ素子と、を有することを特徴とする請求項１に記載の変倍光学系。
【請求項７】
軸上光束を制限する開口絞りを有し、
前記開口絞りは、前記第２レンズ群と前記第３レンズ群の像側面との間に位置することを特徴とする請求項１に記載の変倍光学系。
【請求項８】
以下の条件式（８）を満足することを特徴とする請求項１に記載の変倍光学系。
２．００＜ｆG3／ｆw＜５．５０      （８）
ここで、
ｆG3は、前記第３レンズ群の焦点距離、
ｆwは、広角端における前記変倍光学系の焦点距離、
である。
【請求項９】
以下の条件式（９）を満足することを特徴とする請求項１に記載の変倍光学系。
０．０７０＜ｆG3／ｆt＜０．１７０      （９）
ここで、
ｆG3は、前記第３レンズ群の焦点距離、
ｆtは、望遠端における前記変倍光学系の焦点距離、
である。
【請求項１０】
以下の条件式（１０）を満足することを特徴とする請求項１に記載の変倍光学系。
１０＜β2Gt／β2Gw＜４０      （１０）
ここで、
β2Gtは、望遠端における前記第２レンズ群の横倍率、
β2Gwは、広角端における前記第２レンズ群の横倍率、
前記倍率は、無限遠物点合焦時の倍率、
である。
【請求項１１】
以下の条件式（１１）を満足することを特徴とする請求項１に記載の変倍光学系。
０．０４０＜ｄG3L12／ｆG3L2＜０．４００      （１１）
ここで、
ｄG3L12は、前記第１レンズ素子と前記第２レンズ素子との空気間隔、
ｆG3L2は、前記第２レンズ素子の焦点距離、
である。
【請求項１２】
前記第１レンズ群は、以下の条件式（１２）、（１３）を満足する負レンズを、少なくとも１枚有することを特徴とする請求項１に記載の変倍光学系。
２４＜νｄ1Gn＜５６      （１２）
０．５３＜θg,F1Gn＜０．６２      （１３）
ここで、
νｄ1Gnは、前記第１レンズ群中に含まれる負レンズのアッベ数のうち、最大となるアッベ数、
θg,F1Gnは、前記第１レンズ群中に含まれる負レンズの部分分散比のうち、最小となる部分分散比、
前記部分分散比は、θg,F1Gn＝（ｎｇ1Gn−ｎＦ1Gn）／（ｎＦ1Gn−ｎＣ1Gn）で表され、
ｎｇ1Gn、ｎＦ1Gn、ｎＣ1Gnは、それぞれ、ｇ線における屈折率、Ｆ線における屈折率、Ｃ線における屈折率、
である。
【請求項１３】
無限遠物点から至近物点への合焦時、前記第４レンズ群のみが像側に移動することを特徴とする請求項１に記載の変倍光学系。
【請求項１４】
変倍時、前記第１レンズ群は固定されていることを特徴とする請求項１に記載の変倍光学系。
【請求項１５】
以下の条件式（１４）を満足することを特徴とする請求項１に記載の変倍光学系。
１９＜ｆt／ｆw＜５０      （１４）
ここで、
ｆtは、望遠端における前記変倍光学系の焦点距離、
ｆwは、広角端における前記変倍光学系の焦点距離、
である。
【請求項１６】
光学系と、
撮像面を持ち、且つ前記光学系により撮像面上に形成された像を電気信号に変換する撮像素子と、を有し、
前記光学系が請求項１に記載の変倍光学系であることを特徴とする撮像装置。
【発明の詳細な説明】
【技術分野】
【０００１】
本発明は、変倍光学系及びそれを備えた撮像装置に関する。
【背景技術】
【０００２】
高い変倍比を有する変倍光学系が、特許文献１、特許文献２及び特許文献３に開示されている。
【０００３】
特許文献１に開示されている変倍光学系と特許文献３に開示されている変倍光学系は、正の屈折力を有する第１レンズ群と、負の屈折力を有する第２レンズ群と、正の屈折力を有する第３レンズ群と、負の屈折力を有する第４レンズ群と、正の屈折力を有する第５ンズ群Ｇと、で構成されている。変倍時、第２レンズ群と第４レンズ群とが光軸に沿って移動する。
【０００４】
特許文献２に開示されている変倍光学系は、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、で構成されている。変倍時、第２レンズ群、第３レンズ群及び第４レンズ群が移動する。
【０００５】
特許文献１に開示されている変倍光学系では、第３レンズ群がブレ補正レンズを有する。また、特許文献２に開示されている変倍光学系では、第５レンズ群がブレ補正レンズを有する。特許文献３に開示されている変倍光学系は、ブレ補正レンズを備えていない。ブレ補正レンズは、光軸と直交する方向に移動するレンズである。
【先行技術文献】
【特許文献】
【０００６】
【特許文献１】特開２０１７−１１６６７８号公報（第１実施例）
【特許文献２】特許第５５４９１３４号公報（第１実施例）
【特許文献３】特許第５３０３３１０号公報（第１実施例）
【発明の概要】
【発明が解決しようとする課題】
【０００７】
特許文献１に開示されている変倍光学系では、ブレ補正レンズが、第３レンズ群の最も像側に位置するレンズよりも物体側に位置している。この場合、ブレ補正レンズが大きくなるので、ブレ補正レンズを移動させる機構が大型になる。また、ブレ補正レンズが重くなるので、高速でブレ補正をすることが困難になる。
【０００８】
特許文献２に開示されている変倍光学系では、第５レンズ群を構成するレンズの枚数が多くなる。この場合、第５レンズ群が大きくなるので、光学系の全長が長くなる。また、変倍時に移動するレンズ群の移動スペースが十分に確保できない。そのため、高い変倍比が得られない。
【０００９】
特許文献３に開示されている変倍光学系では、例えば、第３レンズ群にブレ補正レンズを配置できる。この場合、第３レンズ群の最も像側に、ブレ補正レンズを配置することができる。しかしながら、第３レンズ群では、広いレンズ間隔を確保できない。そのため、広角端で、軸上光線の高さが高くなる。光線が高い位置でブレ補正レンズを移動させると、球面収差の変動が大きくなる。そのため、ブレ補正時の結像性能が劣化する。
【００１０】
本発明は、このような課題に鑑みてなされたものであって、光学系の全長が短く小型でありながら、ブレ補正時でも高い結像性能を有する変倍光学系及びそれを備えた撮像装置を提供することを目的とする。
【課題を解決するための手段】
【００１１】
上述した課題を解決し、目的を達成するために、本発明の少なくとも幾つかの実施形態に係る変倍光学系は、
物体側から順に、
正の屈折力を有する第１レンズ群と、
負の屈折力を有する第２レンズ群と、
正の屈折力を有する第３レンズ群と、
負の屈折力を有する第４レンズ群と、を有し、
変倍時、第２レンズ群と第４レンズ群は、光軸方向に移動し、
第３レンズ群は、第１レンズ素子と、第２レンズ素子と、を有し、
第１レンズ素子は、第２レンズ素子の隣に位置し、
第２レンズ素子は、最も像側に位置し、
第２レンズ素子のみを光軸と垂直方向に移動させることでブレを補正し、
以下の条件式（１）、（２）を満足することを特徴とする。
−０．０５＜Δ1G／Δ2G＜０．０５      （１）
０．１０＜ｄG3L12／ｄG3＜０．３５      （２）
ここで、
Δ1Gは、第１レンズ群の広角端から望遠端までの移動量、
Δ2Gは、第２レンズ群の広角端から望遠端までの移動量、
ｄG3L12は、第１レンズ素子と第２レンズ素子との空気間隔、
ｄG3は、第３レンズ群の厚さ、
である。
【００１２】
また、本発明の少なくとも幾つかの実施形態に係る撮像装置は、
光学系と、
撮像面を持ち、且つ光学系により撮像面上に形成された像を電気信号に変換する撮像素子と、を有し、
光学系が上述の変倍光学系であることを特徴とする。
【発明の効果】
【００１３】
本発明によれば、光学系の全長が短く小型でありながら、ブレ補正時でも高い結像性能を有する変倍光学系及びそれを備えた撮像装置を提供することができる。
【図面の簡単な説明】
【００１４】
【図１】実施例１の変倍光学系のレンズ断面図である。
【図２】実施例２の変倍光学系のレンズ断面図である。
【図３】実施例３の変倍光学系のレンズ断面図である。
【図４】実施例４の変倍光学系のレンズ断面図である。
【図５】実施例５の変倍光学系のレンズ断面図である。
【図６】実施例６の変倍光学系のレンズ断面図である。
【図７】実施例７の変倍光学系のレンズ断面図である。
【図８】実施例８の変倍光学系のレンズ断面図である。
【図９】実施例９の変倍光学系のレンズ断面図である。
【図１０】実施例１０の変倍光学系のレンズ断面図である。
【図１１】実施例１１の変倍光学系のレンズ断面図である。
【図１２】実施例１の変倍光学系の収差図である。
【図１３】実施例２の変倍光学系の収差図である。
【図１４】実施例３の変倍光学系の収差図である。
【図１５】実施例４の変倍光学系の収差図である。
【図１６】実施例５の変倍光学系の収差図である。
【図１７】実施例６の変倍光学系の収差図である。
【図１８】実施例７の変倍光学系の収差図である。
【図１９】実施例８の変倍光学系の収差図である。
【図２０】実施例９の変倍光学系の収差図である。
【図２１】実施例１０の変倍光学系の収差図である。
【図２２】実施例１１の変倍光学系の収差図である。
【図２３】撮像装置の断面図である。
【図２４】撮像装置の前方斜視図である。
【図２５】撮像装置の後方斜視図である。
【図２６】撮像装置の主要部の内部回路の構成ブロック図である。
【発明を実施するための形態】
【００１５】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１６】
本実施形態の変倍光学系は、物体側から順に、正の屈折力を有する第１レンズ群と、負の屈折力を有する第２レンズ群と、正の屈折力を有する第３レンズ群と、負の屈折力を有する第４レンズ群と、を有し、変倍時、第２レンズ群と第４レンズ群は、光軸方向に移動し、第３レンズ群は、第１レンズ素子と、第２レンズ素子と、を有し、第１レンズ素子は、第２レンズ素子の隣に位置し、第２レンズ素子は、最も像側に位置し、第２レンズ素子のみを光軸と垂直方向に移動させることでブレを補正し、以下の条件式（１）、（２）を満足することを特徴とする。
−０．０５＜Δ1G／Δ2G＜０．０５      （１）
０．１０＜ｄG3L12／ｄG3＜０．３５      （２）
ここで、
Δ1Gは、第１レンズ群の広角端から望遠端までの移動量、
Δ2Gは、第２レンズ群の広角端から望遠端までの移動量、
ｄG3L12は、第１レンズ素子と第２レンズ素子との空気間隔、
ｄG3は、第３レンズ群の厚さ、
である。
【００１７】
本実施形態の変倍光学系は、物体側から順に、正の屈折力を有する第１レンズ群と、負の屈折力を有する第２レンズ群と、正の屈折力を有する第３レンズ群と、を有する。本実施形態の変倍光学系では、正の屈折力を有するレンズ群が、最も物体側に位置している。よって、本実施形態の変倍光学系は、正先行タイプの光学系になっている。
【００１８】
正先行タイプの光学系は、高い変倍比の確保と、広角端から望遠端までの間での明るいＦナンバーの確保に有利な光学系である。よって、本実施形態の変倍光学系でも、高い変倍比が確保できると共に、広角端から望遠端までの間で明るいＦナンバーが確保できる。
【００１９】
負の屈折力を有する第２レンズ群と正の屈折力を有する第３レンズ群を配置することで、第３レンズ群よりも像側における軸上光束の径を小さくできる。そのため、第３レンズ群よりも像側に位置するレンズ群を小型化できる。
【００２０】
変倍時、第２レンズ群と第４レンズ群とが移動する。本実施形態の変倍光学系では、主に第２レンズ群で変倍し、変倍による像面変動を第４レンズ群で補正している。
【００２１】
上述のように、第３レンズ群よりも像側では、軸上光束の径が小さい。そのため、第４レンズ群を移動させても、球面収差の変動や軸上色収差の変動を抑制できる。
【００２２】
第３レンズ群は、第１レンズ素子と、第２レンズ素子と、を有する。第１レンズ素子は、第２レンズ素子の隣に位置する。第２レンズ素子は、最も像側に位置する。
【００２３】
第３レンズ群では、物体側よりも像側の方が、軸上光束の径が小さい。そこで、第２レンズ素子のみを、光軸と垂直方向に移動させる。第２レンズ素子の位置では、軸上光束の径が小さいので、第２レンズ素子を小型にできる。この場合、第２レンズ素子を軽くできるので、高速でブレを補正できる。
【００２４】
また、第２レンズ素子は、第４レンズ群に比べて、像面から離れている。そのため、第２レンズ素子の位置における軸外光線の高さは、第４レンズ群の位置における軸外光線の高さに比べて低い。その結果、ブレ補正時の非点収差の変動を抑制できる。
【００２５】
条件式（１）は、第１レンズ群の変倍時の移動量と第２レンズ群の変倍時の移動量との比に関する条件式である。移動量は、広角端から望遠端までの移動量である。レンズ群が像側へ移動した場合、移動量は正の値になる。
【００２６】
条件式（１）を満足することで、第２レンズ群に対する第１レンズ群の移動を抑制できる。第２レンズ群の移動量に対する第１レンズ群の移動量を小さくすることで、製造誤差が軽減でき、また、移動機構を簡略にできる。
【００２７】
値が条件式（１）の下限値を上回る場合、第１レンズ群の移動、例えば、物体側への移動を抑制できる。そのため、光学系の全長を短縮できる。値が条件式（１）の上限値を下回る場合、第１レンズ群の移動、例えば、像側への移動を抑制できる。そのため、第２レンズ群において十分な変倍比を確保できる。
【００２８】
値が条件式（２）の下限値を上回る場合、第１レンズ素子と第２レンズ素子との空気間隔を広げられる。この場合、第２レンズ素子を通過する軸上光線の高さを下げられるので、ブレ補正時の球面収差の変動を抑制できる。
【００２９】
値が条件式（２）の上限値を下回る場合、第１レンズ素子と第２レンズ素子との空気間隔を狭められる。この場合、高いブレ補正感度を維持したまま、第２レンズ素子を小さくできる。その結果、第３レンズ群も小さくできる。
【００３０】
本実施形態の変倍光学系は、第２レンズ素子は、正レンズであり、以下の条件式（３）を満足することが好ましい。
０．８００＜｜ｆG3L2／ｆG3｜＜２．５００      （３）
ここで、
ｆG3L2は、第２レンズ素子の焦点距離、
ｆG3は、第３レンズ群の焦点距離、
である。
【００３１】
条件式（３）は、第２レンズ素子の焦点距離と第３レンズ群の焦点距離との比に関する条件式である。
【００３２】
値が条件式（３）の下限値を上回る場合、第３レンズ群の焦点距離に対して、第２レンズ素子の焦点距離が長くなる。そのため、広角端での非点収差の発生を抑制できる。
【００３３】
値が条件式（３）の上限値を下回る場合、第３レンズ群の焦点距離に対して、第２レンズ素子の焦点距離が短くなる。この場合、第４レンズ群へ入射する軸外光線の高さを低くできる。そのため、第４レンズ群を小さくできる。
【００３４】
本実施形態の変倍光学系では、第３レンズ群は、最も物体側に物体側正レンズを有し、以下の条件式（４）を満足することが好ましい。
０．４００＜｜ｆG3Lo／ｆG3｜＜１．２００      （４）
ここで、
ｆG3Loは、物体側正レンズの焦点距離、
ｆG3は、第３レンズ群の焦点距離、
である。
【００３５】
条件式（４）は、物体側正レンズの焦点距離と第３レンズ群の焦点距離との比に関する条件式である。
【００３６】
値が条件式（４）の下限値を上回る場合、第３レンズ群の焦点距離に対して、物体側正レンズの焦点距離が長くなる。そのため、広角端での球面収差の発生を抑制できる。
【００３７】
値が条件式（４）の上限値を下回る場合、第３レンズ群の焦点距離に対して、物体側正レンズの焦点距離が短くなる。この場合、広角端において、第３レンズ群内での軸上光線の高さ、例えば、物体側正レンズより像側での軸上光線の高さを抑制できる。そのため、物体側正レンズより像側に位置するレンズの径を小さくできる。
【００３８】
本実施形態の変倍光学系では、第２レンズ素子は、正レンズであり、以下の条件式（５）を満足することが好ましい。
−４＜ＳＦG3L2＜−０．２５      （５）
ここで、
ＳＦG3L2＝（ＲG3L2o＋ＲG3L2i）／（ＲG3L2o−ＲG3L2i）、
ＲG3L2oは、第２レンズ素子の物体側面の曲率半径、
ＲG3L2iは、第２レンズ素子の像側面の曲率半径、
である。
【００３９】
条件式（５）は、第２レンズ素子のシェイピングファクタに関する条件式である。
【００４０】
値が条件式（５）の下限値を上回る場合、第２レンズ素子の物体側レンズ面での正の屈折力を小さくできる。そのため、非点収差の発生を抑制できる。
【００４１】
値が条件式（５）の上限値を下回る場合、第２レンズ素子の物体側レンズ面での正の屈折力を大きくできる。そのため、球面収差の発生を抑制できる。
【００４２】
本実施形態の変倍光学系は、以下の条件式（６）、（７）を満足することが好ましい。
０．３００＜｜（１−βG3L2w）×βbackw｜＜１．０００      （６）
０．５００＜｜（１−βG3L2t）×βbackt｜＜２．０００      （７）
ここで、
βG3L2wは、広角端における第２レンズ素子の横倍率、
βG3L2tは、望遠端における第２レンズ素子の横倍率、
βbackwは、広角端における所定のレンズ群の横倍率、
βbacktは、望遠端における所定のレンズ群の横倍率、
横倍率は、無限遠物点合焦時の横倍率、
所定のレンズ群は、第３レンズ群よりも像側に位置する全てのレンズで構成されたレンズ群、
である。
【００４３】
値が条件式（６）の下限値を上回る場合、ブレ補正の効果を向上できる。値が条件式（６）の上限値を下回る場合、第３レンズ群内の正レンズでの球面収差の発生を、広角端と望遠端の両方で抑制できる。
【００４４】
条件式（７）の技術的意義は、条件式（６）の技術的意義と同じである。
【００４５】
本実施形態の変倍光学系では、第３レンズ群は、３枚の正レンズ素子と、少なくとも１枚の負レンズ素子と、を有することが好ましい。
【００４６】
第３レンズ群に３枚の正レンズ素子を使うことで、第３レンズ群の正の屈折力を３枚のレンズ素子で分担できる。その結果、第３レンズ群の屈折力を大きくしても、広角端での球面収差の発生を抑制できる。
【００４７】
第３レンズ群に負レンズ素子を１枚以上使うことで、正レンズで発生する軸上色収差を補正できる。また、第３レンズ群内での軸上色収差の発生を抑制できる。
【００４８】
本実施形態の変倍光学系は、軸上光束を制限する開口絞りを有し、開口絞りは、第２レンズ群と第３レンズ群の像側面との間に位置することが好ましい。
【００４９】
開口絞りを第２レンズ群と第３レンズ群との間に配置するか、又は、第３レンズ群内に配置することで、第３レンズ群よりも像側における軸上光束径を抑えることができる。
【００５０】
上述のように、変倍時、第４レンズ群は光軸方向に移動する。第４レンズ群は、第３レンズ群よりも像側に位置しているので、第４レンズ群は、軸上光束径が小さい場所で移動する。そのため、変倍時の球面収差の変動や軸上色収差の変動を抑制しながら、像面変動を補正できる。
【００５１】
本実施形態の変倍光学系は、以下の条件式（８）を満足することが好ましい。
２．００＜ｆG3／ｆw＜５．５０      （８）
ここで、
ｆG3は、第３レンズ群の焦点距離、
ｆwは、広角端における変倍光学系の焦点距離、
である。
【００５２】
条件式（８）は、第３レンズ群の焦点距離と広角端における変倍光学系の焦点距離との比に関する条件式である。
【００５３】
値が条件式（８）の下限値を上回る場合、広角端における変倍光学系の焦点距離に対して、第３レンズ群の焦点距離が長くなる。この場合、第３レンズ群の屈折力を小さくできるので、第３レンズ群での球面収差の発生を、広角端で抑制できる。
【００５４】
値が条件式（８）の上限値を下回る場合、広角端における変倍光学系の焦点距離に対して、第３レンズ群の焦点距離が短くなる。この場合、第３レンズ群の屈折力を大きくできるので、第３レンズ群よりも像側に位置するレンズ群の長さを短縮できる。
【００５５】
本実施形態の変倍光学系は、以下の条件式（９）を満足することが好ましい。
０．０７０＜ｆG3／ｆt＜０．１７０      （９）
ここで、
ｆG3は、第３レンズ群の焦点距離、
ｆtは、望遠端における変倍光学系の焦点距離、
である。
【００５６】
条件式（９）は、第３レンズ群の焦点距離と望遠端における変倍光学系の焦点距離との比に関する条件式である。
【００５７】
値が条件式（９）の下限値を上回る場合、望遠端における変倍光学系の焦点距離に対して、第３レンズ群の焦点距離が長くなる。この場合、第３レンズ群の屈折力を小さくできるので、第３レンズ群での球面収差の発生を、広角端で抑制できる。
【００５８】
値が条件式（９）の上限値を下回る場合、望遠端における変倍光学系の焦点距離に対して、第３レンズ群の焦点距離が短くなる。この場合、第３レンズ群の屈折力を大きくできるので、第３レンズ群よりも像側に位置するレンズ群の長さを短縮できる。
【００５９】
本実施形態の変倍光学系は、以下の条件式（１０）を満足することが好ましい。
１０＜β2Gt／β2Gw＜４０      （１０）
ここで、
β2Gtは、望遠端における第２レンズ群の横倍率、
β2Gwは、広角端における第２レンズ群の横倍率、
倍率は、無限遠物点合焦時の倍率、
である。
【００６０】
条件式（１０）は、第２レンズ群の変倍比に関する条件式である。
【００６１】
値が条件式（１０）の下限値を上回る場合、第２レンズ群における変倍作用を大きくできる。この場合、第２レンズ群以外のレンズ群での変倍負担を減らせるので、第２レンズ群以外のレンズ群の移動量を抑制できる。レンズ群の移動量が抑制されると、第２レンズ群よりも像側において、レンズ群が移動するスペースを少なくできる。そのため、光学系の全長を短縮できる。
【００６２】
広角側では、第２レンズ群が移動することで、歪曲収差の変動、非点収差の変動、及び倍率色収差の変動が大きくなり易い。よって、広角側では、これらの収差の変動が抑制されることが好ましい。
【００６３】
値が条件式（１０）の上限値を下回る場合、第２レンズ群における変倍作用を小さくできる。この場合、第２レンズ群の移動量を抑制できる。そのため、変倍時の諸収差の変動、特に、歪曲収差の変動、非点収差の変動、及び倍率色収差の変動を抑制しつつ、良好な結像性能を保てる。
【００６４】
本実施形態の変倍光学系は、以下の条件式（１１）を満足することが好ましい。
０．０４０＜ｄG3L12／ｆG3L2＜０．４００      （１１）
ここで、
ｄG3L12は、第１レンズ素子と第２レンズ素子との空気間隔、
ｆG3L2は、第２レンズ素子の焦点距離、
である。
【００６５】
条件式（１１）は、第１レンズ素子と第２レンズ素子との空気間隔と、第２レンズ素子の焦点距離との比に関する条件式である。
【００６６】
値が条件式（１１）の下限値を上回る場合、第１レンズ素子と第２レンズ素子との空気間隔を広げながら、第２レンズ素子の焦点距離を短くできる。この場合、第２レンズ素子の屈折力を大きくできる。そのため、広角端での球面収差を悪化させることなく、ブレ補正感度を高められる。
【００６７】
値が条件式（１１）の上限値を下回る場合、第１レンズ素子と第２レンズ素子との空気間隔を抑制できる。その結果、第３レンズ群を小さくできる。
【００６８】
本実施形態の変倍光学系では、第１レンズ群は、以下の条件式（１２）、（１３）を満足する負レンズを、少なくとも１枚有することが好ましい。
２４＜νｄ1Gn＜５６      （１２）
０．５３＜θg,F1Gn＜０．６２      （１３）
ここで、
νｄ1Gnは、第１レンズ群中に含まれる負レンズのアッベ数のうち、最大となるアッベ数、
θg,F1Gnは、第１レンズ群中に含まれる負レンズの部分分散比のうち、最小となる部分分散比、
部分分散比は、θg,F1Gn＝（ｎｇ1Gn−ｎＦ1Gn）／（ｎＦ1Gn−ｎＣ1Gn）で表され、
ｎｇ1Gn、ｎＦ1Gn、ｎＣ1Gnは、それぞれ、ｇ線における屈折率、Ｆ線における屈折率、Ｃ線における屈折率、
である。
【００６９】
条件式（１２）は、第１レンズ群の負レンズのアッベ数に関する条件式である。
【００７０】
第１レンズ群では、全体として正の屈折力を確保しつつ、負の屈折力も適切に確保されていることが好ましい。
【００７１】
値が条件式（１２）の下限値を上回る場合、第１レンズ群での色収差の発生を抑制しつつ、適切に負の屈折力を確保できる。その結果、望遠側での非点収差の発生を抑制できる。
【００７２】
値が条件式（１２）の上限値を下回る場合、第１レンズ群での色収差の発生を抑制できる。その結果、良好な結像性能を保てる。
【００７３】
条件式（１３）は、第１レンズ群の負レンズの部分分散に関する条件式である。
【００７４】
値が条件式（１３）の下限値を上回る場合、色収差の補正に有効な硝材が増える。選択可能な硝材が増えるので、色収差を良好に補正できる。
【００７５】
望遠端では、第１レンズ群で、Ｆ線に対するｇ線の色収差が発生し易い。よって、この色収差の発生が抑制されることが好ましい。
【００７６】
値が条件式（１３）の上限値を下回る場合、第１レンズ群でのＦ線に対するｇ線の色収差の発生を抑えられる。その結果、良好な結像性能を保てる。
【００７７】
本実施形態の変倍光学系では、無限遠物点から至近物点への合焦時、第４レンズ群のみが像側に移動することが好ましい。
【００７８】
第４レンズ群のみを移動させることで、合焦機構を簡略にすることができる。また、像面の近くでは、光束径が小さい。第４レンズ群は像面の近くに位置しているので、第４レンズ群を小型で軽量にできる。第４レンズ群を合焦レンズ群とすることで、径が小さくて軽い合焦レンズ群を実現できる。その結果、速い合焦スピードを確保できる。
【００７９】
本実施形態の変倍光学系では、変倍時、第１レンズ群は固定されていることが好ましい。
【００８０】
このようにすることで、第１レンズ群が像面に対して常時固定される。その結果、製造誤差を更に軽減でき、また、メカ構成を更に簡略にすることができる。
【００８１】
本実施形態の変倍光学系は、以下の条件式（１４）を満足することが好ましい。
１９＜ｆt／ｆw＜５０      （１４）
ここで、
ｆtは、望遠端における変倍光学系の焦点距離、
ｆwは、広角端における変倍光学系の焦点距離、
である。
【００８２】
値が条件式（１４）の下限値を上回る場合、高い変倍を確保できる。値が条件式（１４）の上限値を下回る場合、諸収差の発生を抑制できる。
【００８３】
本実施形態の撮像装置は、光学系と、撮像面を持ち、且つ光学系により撮像面上に形成された像を電気信号に変換する撮像素子と、を有し、光学系が上述の実施形態の変倍光学系であることを特徴とする。
【００８４】
本実施形態の撮像装置によれば、小型な装置でありながら、色収差が良好に補正された画像を取得できる。
【００８５】
上述の構成は相互に複数を同時に満足することがより好ましい。また、一部の構成を同時に満足するようにしてもよい。例えば、上述の変倍光学系の何れかにて、上述の他の変倍光学系の何れかを用いるようにしてもよい。
【００８６】
条件式については、それぞれの条件式を個別に満足させるようにしても良い。このようにすると、それぞれの効果を得やすくなるので好ましい。
【００８７】
各条件式について、以下のように下限値、または上限値を変更しても良い、このようにすることで、各条件式の効果を一層確実にできるので好ましい。
条件式（１）については、以下の通りである。
下限値を−０．０３、又は−０．０１にすることが好ましい。
上限値を０．０３、又は０．０１にすることが好ましい。
条件式（２）については、以下の通りである。
下限値を０．１２、又は０．１５にすることが好ましい。
上限値を０．３０、又は０．２８にすることが好ましい。
条件式（３）については、以下の通りである。
下限値を１．０００、又は１．１００にすることが好ましい。
上限値を２．３００、又は１．７００にすることが好ましい。
条件式（４）については、以下の通りである。
下限値を０．６００、又は０．６５０にすることが好ましい。
上限値を１．０００、又は０．９５０にすることが好ましい。
条件式（５）については、以下の通りである。
下限値を−２．７、又は−１．６にすることが好ましい。
上限値を−０．５、又は−１．０にすることが好ましい。
条件式（６）については、以下の通りである。
下限値を０．３５０、又は０．４００にすることが好ましい。
上限値を０．８００、又は０．７５０にすることが好ましい。
条件式（７）については、以下の通りである。
下限値を０．５５０、又は０．６００にすることが好ましい。
上限値を１．７００、又は１．５００にすることが好ましい。
条件式（８）については、以下の通りである。
下限値を２．３０、又は２．６０にすることが好ましい。
上限値を５．００、又は４．７０にすることが好ましい。
条件式（９）については、以下の通りである。
下限値を０．０８０、又は０．０９０にすることが好ましい。
上限値を０．１５０、又は０．１３０にすることが好ましい。
条件式（１０）については、以下の通りである。
下限値を、１２又は１５にすることが好ましい。
上限値を、３５又は３０にすることが好ましい。
条件式（１１）については、以下の通りである。
下限値を０．０６０、又は０．０８０にすることが好ましい。
上限値を０．３００、又は０．２００にすることが好ましい。
条件式（１２）については、以下の通りである。
下限値を、３６又は４０にすることが好ましい。
条件式（１３）については、以下の通りである。
【００８８】
以下に、変倍光学系の実施例を、図面に基づいて詳細に説明する。なお、この実施例によりこの発明が限定されるものではない。
【００８９】
各実施例のレンズ断面図は、広角端におけるレンズ断面図を示している。
【００９０】
各実施例の収差図について説明する。（ａ）は広角端における球面収差（ＳＡ）、（ｂ）は広角端における非点収差（ＡＳ）、（ｃ）は広角端における歪曲収差（ＤＴ）、（ｄ）は広角端における倍率色収差（ＣＣ）を示している。
【００９１】
（ｅ）は中間焦点距離状態における球面収差（ＳＡ）、（ｆ）は中間焦点距離状態における非点収差（ＡＳ）、（ｇ）は中間焦点距離状態における歪曲収差（ＤＴ）、（ｈ）は中間焦点距離状態における倍率色収差（ＣＣ）を示している。
【００９２】
また、（ｉ）は望遠端における球面収差（ＳＡ）、（ｊ）は望遠端における非点収差（ＡＳ）、（ｋ）は望遠端における歪曲収差（ＤＴ）、（ｌ）は望遠端における倍率色収差（ＣＣ）を示している。
【００９３】
レンズ断面図は、無限遠物点合焦時のレンズ断面図である。収差図は、無限遠物点合焦時の収差図である。
【００９４】
第１レンズ群はＧ１、第２レンズ群はＧ２、第３レンズ群はＧ３、第４レンズ群はＧ４、第５レンズ群はＧ５、開口絞りはＳ、像面（撮像面）はＩで示してある。
【００９５】
実施例１の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【００９６】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、物体側に凸面を向けた正メニスカスレンズＬ４と、で構成されている。ここで、負メニスカスレンズＬ１と正メニスカスレンズＬ２とが接合されている。
【００９７】
第２レンズ群Ｇ２は、物体側に凸面を向けた負メニスカスレンズＬ５と、両凹負レンズＬ６と、物体側に凸面を向けた正メニスカスレンズＬ７と、像側に凸面を向けた負メニスカスレンズＬ８と、で構成されている。ここで、両凹負レンズＬ６と正メニスカスレンズＬ７とが接合されている。
【００９８】
第３レンズ群Ｇ３は、両凸正レンズＬ９と、両凹負レンズＬ１０と、両凸正レンズＬ１１と、物体側に凸面を向けた正メニスカスレンズＬ１２と、で構成されている。ここで、両凹負レンズＬ１０と両凸正レンズＬ１１とが接合されている。
【００９９】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１００】
第５レンズ群Ｇ５は、両凸正レンズＬ１５で構成されている。
【０１０１】
広角端から望遠端への変倍時、第１レンズ群Ｇ１と第５レンズ群Ｇ５は固定されている。第２レンズ群Ｇ２は像側に移動する。第３レンズ群Ｇ３と第４レンズ群Ｇ４は、物体側に移動する。開口絞りＳは、第３レンズ群Ｇ３と共に移動する。
【０１０２】
無限遠物点から至近物点への合焦時、第４レンズ群Ｇ４が像側に移動する。
【０１０３】
非球面は、両凹負レンズＬ６の物体側面と、両凸正レンズＬ９の両面と、両凸正レンズＬ１１の像側面と、両凹負レンズＬ１４の像側面と、両凸正レンズＬ１５の両面と、の合計７面に設けられている。
【０１０４】
実施例２の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０１０５】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、物体側に凸面を向けた正メニスカスレンズＬ４と、で構成されている。ここで、負メニスカスレンズＬ１と正メニスカスレンズＬ２とが接合されている。
【０１０６】
第２レンズ群Ｇ２は、物体側に凸面を向けた負メニスカスレンズＬ５と、両凹負レンズＬ６と、物体側に凸面を向けた正メニスカスレンズＬ７と、像側に凸面を向けた負メニスカスレンズＬ８と、で構成されている。ここで、両凹負レンズＬ６と正メニスカスレンズＬ７とが接合されている。
【０１０７】
第３レンズ群Ｇ３は、両凸正レンズＬ９と、両凹負レンズＬ１０と、両凸正レンズＬ１１と、物体側に凸面を向けた正メニスカスレンズＬ１２と、で構成されている。ここで、両凹負レンズＬ１０と両凸正レンズＬ１１とが接合されている。
【０１０８】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１０９】
第５レンズ群Ｇ５は、両凸正レンズＬ１５で構成されている。
【０１１０】
広角端から望遠端への変倍時、第１レンズ群Ｇ１と第５レンズ群Ｇ５は固定されている。第２レンズ群Ｇ２は像側に移動する。第３レンズ群Ｇ３と第４レンズ群Ｇ４は、物体側に移動する。開口絞りＳは、第３レンズ群Ｇ３と共に移動する。
【０１１１】
無限遠物点から至近物点への合焦時、第４レンズ群Ｇ４が像側に移動する。
【０１１２】
非球面は、両凹負レンズＬ６の物体側面と、両凸正レンズＬ９の両面と、両凸正レンズＬ１１の像側面と、両凹負レンズＬ１４の像側面と、両凸正レンズＬ１５の両面と、の合計７面に設けられている。
【０１１３】
実施例３の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０１１４】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。ここで、負メニスカスレンズＬ１と両凸正レンズＬ２とが接合されている。
【０１１５】
第２レンズ群Ｇ２は、両凹負レンズＬ５と、両凹負レンズＬ６と、両凸正レンズＬ７と、で構成されている。ここで、両凹負レンズＬ６と両凸正レンズＬ７とが接合されている。
【０１１６】
第３レンズ群Ｇ３は、両凸正レンズＬ８と、物体側に凸面を向けた負メニスカスレンズＬ９と、物体側に凸面を向けた負メニスカスレンズＬ１０と、両凸正レンズＬ１１と、物体側に凸面を向けた正メニスカスレンズＬ１２と、で構成されている。ここで、負メニスカスレンズＬ１０と両凸正レンズＬ１１とが接合されている。
【０１１７】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１１８】
第５レンズ群Ｇ５は、両凸正レンズＬ１５で構成されている。
【０１１９】
広角端から望遠端への変倍時、第１レンズ群Ｇ１と第５レンズ群Ｇ５は固定されている。第２レンズ群Ｇ２は像側に移動する。第３レンズ群Ｇ３は、広角端から中間焦点距離状態までは物体側に移動し、中間焦点距離状態から望遠端までは固定である。第４レンズ群Ｇ４は、物体側に移動する。開口絞りＳは、第３レンズ群Ｇ３と共に移動する。
【０１２０】
無限遠物点から至近物点への合焦時、第４レンズ群Ｇ４が像側に移動する。
【０１２１】
非球面は、両凹負レンズＬ５の両面と、両凸正レンズＬ８の両面と、両凹負レンズＬ１４の像側面と、両凸正レンズＬ１５の両面と、の合計７面に設けられている。
【０１２２】
実施例４の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０１２３】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。ここで、負メニスカスレンズＬ１と両凸正レンズＬ２とが接合されている。
【０１２４】
第２レンズ群Ｇ２は、両凹負レンズＬ５と、両凹負レンズＬ６と、両凸正レンズＬ７と、で構成されている。ここで、両凹負レンズＬ６と両凸正レンズＬ７とが接合されている。
【０１２５】
第３レンズ群Ｇ３は、両凸正レンズＬ８と、両凹負レンズＬ９と、物体側に凸面を向けた負メニスカスレンズＬ１０と、両凸正レンズＬ１１と、物体側に凸面を向けた正メニスカスレンズＬ１２と、で構成されている。ここで、負メニスカスレンズＬ１０と両凸正レンズＬ１１とが接合されている。
【０１２６】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１２７】
第５レンズ群Ｇ５は、両凸正レンズＬ１５で構成されている。
【０１２８】
広角端から望遠端への変倍時、第１レンズ群Ｇ１と第５レンズ群Ｇ５は固定されている。第２レンズ群Ｇ２は像側に移動する。第３レンズ群Ｇ３と第４レンズ群Ｇ４は、物体側に移動する。開口絞りＳは、第３レンズ群Ｇ３と共に移動する。
【０１２９】
無限遠物点から至近物点への合焦時、第４レンズ群Ｇ４が像側に移動する。
【０１３０】
非球面は、両凹負レンズＬ５の両面と、両凸正レンズＬ８の両面と、両凹負レンズＬ１４の像側面と、両凸正レンズＬ１５の両面と、の合計７面に設けられている。
【０１３１】
実施例５の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０１３２】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。ここで、負メニスカスレンズＬ１と両凸正レンズＬ２とが接合されている。
【０１３３】
第２レンズ群Ｇ２は、両凹負レンズＬ５と、両凹負レンズＬ６と、両凸正レンズＬ７と、で構成されている。ここで、両凹負レンズＬ６と両凸正レンズＬ７とが接合されている。
【０１３４】
第３レンズ群Ｇ３は、両凸正レンズＬ８と、両凹負レンズＬ９と、物体側に凸面を向けた負メニスカスレンズＬ１０と、両凸正レンズＬ１１と、物体側に凸面を向けた正メニスカスレンズＬ１２と、で構成されている。ここで、負メニスカスレンズＬ１０と両凸正レンズＬ１１とが接合されている。
【０１３５】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１３６】
第５レンズ群Ｇ５は、両凸正レンズＬ１５で構成されている。
【０１３７】
広角端から望遠端への変倍時、第１レンズ群Ｇ１と第５レンズ群Ｇ５は固定されている。第２レンズ群Ｇ２は像側に移動する。第３レンズ群Ｇ３と第４レンズ群Ｇ４は、物体側に移動する。開口絞りＳは、第３レンズ群Ｇ３と共に移動する。
【０１３８】
無限遠物点から至近物点への合焦時、第４レンズ群Ｇ４が像側に移動する。
【０１３９】
非球面は、両凹負レンズＬ５の両面と、両凸正レンズＬ８の両面と、両凹負レンズＬ１４の像側面と、両凸正レンズＬ１５の両面と、の合計７面に設けられている。
【０１４０】
実施例６の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、で構成されている。開口絞りＳは、第２レンズ群Ｇ２と第３レンズ群Ｇ３との間に配置されている。
【０１４１】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。ここで、負メニスカスレンズＬ１と両凸正レンズＬ２とが接合されている。
【０１４２】
第２レンズ群Ｇ２は、両凹負レンズＬ５と、両凹負レンズＬ６と、両凸正レンズＬ７と、で構成されている。ここで、両凹負レンズＬ６と両凸正レンズＬ７とが接合されている。
【０１４３】
第３レンズ群Ｇ３は、両凸正レンズＬ８と、両凹負レンズＬ９と、物体側に凸面を向けた負メニスカスレンズＬ１０と、両凸正レンズＬ１１と、両凸正レンズＬ１２と、で構成されている。ここで、負メニスカスレンズＬ１０と両凸正レンズＬ１１とが接合されている。
【０１４４】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１４５】
第５レンズ群Ｇ５は、物体側に凸面を向けた負メニスカスレンズＬ１５と、両凸正レンズＬ１６と、で構成されている。
【０１４６】
広角端から望遠端への変倍時、第１レンズ群Ｇ１と第５レンズ群Ｇ５は固定されている。第２レンズ群Ｇ２は像側に移動する。第３レンズ群Ｇ３と第４レンズ群Ｇ４は、物体側に移動する。開口絞りＳは、第３レンズ群Ｇ３と共に移動する。
【０１４７】
無限遠物点から至近物点への合焦時、第４レンズ群Ｇ４が像側に移動する。
【０１４８】
非球面は、両凹負レンズＬ５の両面と、両凸正レンズＬ８の両面と、両凹負レンズＬ１４の像側面と、負メニスカスレンズＬ１５の物体側面と、の合計６面に設けられている。
【０１４９】
実施例７の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、で構成されている。開口絞りＳは、第２レンズ群Ｇ２と第３レンズ群Ｇ３との間に配置されている。
【０１５０】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。ここで、負メニスカスレンズＬ１と両凸正レンズＬ２とが接合されている。
【０１５１】
第２レンズ群Ｇ２は、両凹負レンズＬ５と、両凹負レンズＬ６と、両凸正レンズＬ７と、で構成されている。ここで、両凹負レンズＬ６と両凸正レンズＬ７とが接合されている。
【０１５２】
第３レンズ群Ｇ３は、両凸正レンズＬ８と、両凹負レンズＬ９と、物体側に凸面を向けた負メニスカスレンズＬ１０と、両凸正レンズＬ１１と、両凸正レンズＬ１２と、で構成されている。ここで、負メニスカスレンズＬ１０と両凸正レンズＬ１１とが接合されている。
【０１５３】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１５４】
第５レンズ群Ｇ５は、物体側に凸面を向けた負メニスカスレンズＬ１５と、両凸正レンズＬ１６と、で構成されている。ここで、負メニスカスレンズＬ１５と両凸正レンズＬ１６とが接合されている。
【０１５５】
広角端から望遠端への変倍時、第１レンズ群Ｇ１と第５レンズ群Ｇ５は固定されている。第２レンズ群Ｇ２は像側に移動する。第３レンズ群Ｇ３と第４レンズ群Ｇ４は、物体側に移動する。開口絞りＳは、第３レンズ群Ｇ３と共に移動する。
【０１５６】
無限遠物点から至近物点への合焦時、第４レンズ群Ｇ４が像側に移動する。
【０１５７】
非球面は、両凹負レンズＬ５の両面と、両凸正レンズＬ８の両面と、両凹負レンズＬ１４の像側面と、負メニスカスレンズＬ１５の物体側面と、の合計６面に設けられている。
【０１５８】
実施例８の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０１５９】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。ここで、負メニスカスレンズＬ１と両凸正レンズＬ２とが接合されている。
【０１６０】
第２レンズ群Ｇ２は、両凹負レンズＬ５と、両凹負レンズＬ６と、両凸正レンズＬ７と、で構成されている。ここで、両凹負レンズＬ６と両凸正レンズＬ７とが接合されている。
【０１６１】
第３レンズ群Ｇ３は、両凸正レンズＬ８と、物体側に凸面を向けた負メニスカスレンズＬ９と、物体側に凸面を向けた負メニスカスレンズＬ１０と、両凸正レンズＬ１１と、物体側に凸面を向けた正メニスカスレンズＬ１２と、で構成されている。ここで、負メニスカスレンズＬ１０と両凸正レンズＬ１１とが接合されている。
【０１６２】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１６３】
第５レンズ群Ｇ５は、両凸正レンズＬ１５で構成されている。
【０１６４】
広角端から望遠端への変倍時、第１レンズ群Ｇ１と第５レンズ群Ｇ５は固定されている。第２レンズ群Ｇ２は像側に移動する。第３レンズ群Ｇ３と第４レンズ群Ｇ４は、物体側に移動する。開口絞りＳは、第３レンズ群Ｇ３と共に移動する。
【０１６５】
無限遠物点から至近物点への合焦時、第４レンズ群Ｇ４が像側に移動する。
【０１６６】
非球面は、両凹負レンズＬ５の両面と、両凸正レンズＬ８の両面と、両凹負レンズＬ１４の像側面と、両凸正レンズＬ１５の両面と、の合計７面に設けられている。
【０１６７】
実施例９の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０１６８】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。ここで、負メニスカスレンズＬ１と両凸正レンズＬ２とが接合されている。
【０１６９】
第２レンズ群Ｇ２は、両凹負レンズＬ５と、両凹負レンズＬ６と、両凸正レンズＬ７と、で構成されている。ここで、両凹負レンズＬ６と両凸正レンズＬ７とが接合されている。
【０１７０】
第３レンズ群Ｇ３は、両凸正レンズＬ８と、両凹負レンズＬ９と、物体側に凸面を向けた負メニスカスレンズＬ１０と、両凸正レンズＬ１１と、両凸正レンズＬ１２と、で構成されている。ここで、負メニスカスレンズＬ１０と両凸正レンズＬ１１とが接合されている。
【０１７１】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１７２】
第５レンズ群Ｇ５は、物体側に凸面を向けた負メニスカスレンズＬ１５と、両凸正レンズＬ１６と、で構成されている。
【０１７３】
広角端から望遠端への変倍時、第１レンズ群Ｇ１と第５レンズ群Ｇ５は固定されている。第２レンズ群Ｇ２は像側に移動する。第３レンズ群Ｇ３と第４レンズ群Ｇ４は、物体側に移動する。開口絞りＳは、第３レンズ群Ｇ３と共に移動する。
【０１７４】
無限遠物点から至近物点への合焦時、第４レンズ群Ｇ４が像側に移動する。
【０１７５】
非球面は、両凹負レンズＬ５の両面と、両凸正レンズＬ８の両面と、両凹負レンズＬ１４の像側面と、負メニスカスレンズＬ１５の物体側面と、の合計６面に設けられている。
【０１７６】
実施例１０の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、で構成されている。開口絞りＳは、第２レンズ群Ｇ２と第３レンズ群Ｇ３との間に配置されている。
【０１７７】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。ここで、負メニスカスレンズＬ１と両凸正レンズＬ２とが接合されている。
【０１７８】
第２レンズ群Ｇ２は、両凹負レンズＬ５と、両凹負レンズＬ６と、両凸正レンズＬ７と、で構成されている。ここで、両凹負レンズＬ６と両凸正レンズＬ７とが接合されている。
【０１７９】
第３レンズ群Ｇ３は、両凸正レンズＬ８と、両凹負レンズＬ９と、物体側に凸面を向けた負メニスカスレンズＬ１０と、両凸正レンズＬ１１と、両凸正レンズＬ１２と、で構成されている。ここで、負メニスカスレンズＬ１０と両凸正レンズＬ１１とが接合されている。
【０１８０】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１８１】
広角端から望遠端への変倍時、第１レンズ群Ｇ１は固定されている。第２レンズ群Ｇ２は像側に移動する。第３レンズ群Ｇ３と第４レンズ群Ｇ４は、物体側に移動する。開口絞りＳは、第３レンズ群Ｇ３と共に移動する。
【０１８２】
無限遠物点から至近物点への合焦時、第４レンズ群Ｇ４が像側に移動する。
【０１８３】
非球面は、両凹負レンズＬ５の両面と、両凸正レンズＬ８の両面と、両凸正レンズＬ１２の像側面と、両凹負レンズＬ１４の像側面と、の合計６面に設けられている。
【０１８４】
実施例１１の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０１８５】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。ここで、負メニスカスレンズＬ１と両凸正レンズＬ２とが接合されている。
【０１８６】
第２レンズ群Ｇ２は、両凹負レンズＬ５と、両凹負レンズＬ６と、両凸正レンズＬ７と、で構成されている。ここで、両凹負レンズＬ６と両凸正レンズＬ７とが接合されている。
【０１８７】
第３レンズ群Ｇ３は、両凸正レンズＬ８と、物体側に凸面を向けた負メニスカスレンズＬ９と、物体側に凸面を向けた負メニスカスレンズＬ１０と、両凸正レンズＬ１１と、物体側に凸面を向けた正メニスカスレンズＬ１２と、で構成されている。ここで、負メニスカスレンズＬ１０と両凸正レンズＬ１１とが接合されている。
【０１８８】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１８９】
第５レンズ群Ｇ５は、両凸正レンズＬ１５で構成されている。
【０１９０】
広角端から望遠端への変倍時、第１レンズ群Ｇ１は、広角端から中間焦点距離状態までは固定され、中間焦点距離状態から望遠端までは物体側に移動する。第２レンズ群Ｇ２は像側に移動する。第３レンズ群Ｇ３と第４レンズ群Ｇ４は、物体側に移動する。第５レンズ群Ｇ５は固定されている。開口絞りＳは、第３レンズ群Ｇ３と共に移動する。
【０１９１】
無限遠物点から至近物点への合焦時、第４レンズ群Ｇ４が像側に移動する。
【０１９２】
非球面は、両凹負レンズＬ５の両面と、両凸正レンズＬ８の両面と、両凹負レンズＬ１４の像側面と、両凸正レンズＬ１５の両面と、の合計７面に設けられている。
【０１９３】
以下に、上記各実施例の数値データを示す。面データにおいて、ｒは各レンズ面の曲率半径、ｄは各レンズ面間の間隔、ｎｄは各レンズのｄ線の屈折率、νｄは各レンズのアッベ数、＊印は非球面である。
【０１９４】
また、ズームデータにおいて、ｆは全系の焦点距離、ＦＮＯ．はＦナンバー、ωは半画角、ＢＦはバックフォーカス、ＬＴＬは光学系の全長、である。バックフォーカスは、最も像側のレンズ面から近軸像面までの距離を空気換算して表したものである。全長は、最も物体側のレンズ面から最も像側のレンズ面までの距離にバックフォーカスを加えたものである。
【０１９５】
また、非球面形状は、光軸方向をｚ、光軸に直交する方向をｙにとり、円錐係数をｋ、非球面係数をＡ４、Ａ６、Ａ８、Ａ１０、Ａ１２…としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10＋Ａ１２ｙ12＋…
また、非球面係数において、「e−ｎ」（ｎは整数）は、「１０−ｎ」を示している。
なお、これら諸元値の記号は後述の実施例の数値データにおいても共通である。
【０１９６】
数値実施例１
単位  ｍｍ
面データ
面番号       r          d         nd        νd
物面       ∞         ∞
1      57.633      1.40     1.85478    24.80
2      38.572      5.93     1.43875    94.93
3     490.001      0.18
4      36.363      4.14     1.49700    81.54
5     188.906      0.18
6      29.512      2.93     1.49700    81.54
7      68.414      可変
8      88.150      0.50     2.00100    29.13
9       8.614      4.14
10*    -25.698      0.50     1.49710    81.56
11      11.879      2.77     1.94595    17.98
12      94.253      1.18
13     -22.729      0.50     1.80400    46.58
14     -85.330      可変
15(絞り)  ∞        0.00
16*     10.194      4.39     1.74320    49.34
17*   -243.497      2.51
18    -181.491      0.50     1.85025    30.05
19       7.800      5.41     1.49710    81.56
20*    -17.733      3.01
21       9.010      1.70     1.49710    81.56
22      20.096      可変
23     -65.198      1.51     1.80810    22.76
24     -11.327      0.40     1.80625    40.91
25*     11.895      可変
26*     26.662      1.90     1.49710    81.56
27*    -11.036      0.30 
28        ∞        2.12     1.51633    64.14
29        ∞        2.13
撮像面       ∞
非球面データ
第１０面
k=0.000
A4=7.11948e-06,A6=-1.97071e-07,A8=9.24421e-10,
A10=-7.41300e-11
第１６面
k=0.000
A4=-3.85831e-05,A6=1.37977e-08,A8=-3.03550e-09,
A10=9.74886e-12
第１７面
k=0.000
A4=6.30997e-05,A6=1.11002e-07,A8=-4.07565e-09,
A10=3.25070e-11
第２０面
k=0.000
A4=1.45167e-04,A6=2.38984e-06,A8=-4.76218e-08,
A10=2.90285e-09
第２５面
k=0.000
A4=-5.66474e-05,A6=2.31002e-06,A8=6.32569e-09
第２６面
k=0.000
A4=-3.70123e-04,A6=-1.70588e-05,A8=-5.47215e-07
第２７面
k=0.000
A4=2.53570e-04,A6=-2.81699e-05,A8=-1.69955e-07
ズームデータ
ズーム比      22.00
広角端     中間     望遠端
ｆ                 5.30     24.86    116.63
ＦＮＯ．           1.62      3.40      4.51
２ω              70.93     15.87      3.36
ＩＨ               3.60      3.60      3.60
ＢＦ(in air)       3.84      3.84      3.84
ＬＴＬ(in air)    89.29     89.29     89.29
d7           0.60     15.86     26.05
d14         34.78     13.09      2.28
d22          2.01      6.16      2.00
d25          2.40      4.68      9.46
各群焦点距離
f1=42.75   f2=-7.36   f3=14.76   f4=-12.36   f5=15.97
【０１９７】
数値実施例２
単位  ｍｍ
面データ
面番号       r          d         nd        νd
物面       ∞         ∞
1      60.529      1.40     1.85478    24.80
2      39.609      6.04     1.43875    94.93
3     942.077      0.18
4      36.341      4.16     1.49700    81.54
5     190.377      0.18
6      29.305      2.96     1.49700    81.54
7      67.794      可変
8      87.378      0.50     2.00100    29.13
9       8.505      3.99
10*    -31.916      0.50     1.49710    81.56
11      11.042      2.82     1.94595    17.98
12      67.930      1.23
13     -22.222      0.50     1.80400    46.58
14    -121.906      可変
15(絞り)  ∞        0.00
16*     10.216      4.50     1.74320    49.34
17*   -234.105      2.43
18    -265.801      0.50     1.85025    30.05
19       7.800      5.41     1.49710    81.56
20*    -18.000      2.99
21       8.963      1.73     1.49710    81.56
22      19.620      可変
23     -72.803      1.52     1.80810    22.76
24     -11.498      0.40     1.80625    40.91
25*     11.015      可変
26*     26.570      1.97     1.49710    81.56
27*    -10.578      0.30
28        ∞        2.12     1.51633    64.14
29        ∞        2.13
撮像面       ∞
非球面データ
第１０面
k=0.000
A4=7.84635e-06,A6=-3.51089e-07,A8=4.58848e-09,
A10=-9.80301e-11
第１６面
k=0.000
A4=-3.99790e-05,A6=1.41009e-08,A8=-3.21870e-09,
A10=9.91084e-12
第１７面
k=0.000
A4=6.38132e-05,A6=1.17445e-07,A8=-4.30311e-09,
A10=3.54323e-11
第２０面
k=0.000
A4=1.44012e-04,A6=2.41475e-06,A8=-5.36044e-08,
A10=3.02832e-09
第２５面
k=0.000
A4=-5.59992e-05,A6=3.01217e-06,A8=1.95297e-08
第２６面
k=0.000
A4=-3.69824e-04,A6=-2.32267e-05,A8=-4.24190e-07
第２７面
k=0.000
A4=2.38599e-04,A6=-3.23880e-05,A8=-8.14732e-08
ズームデータ
ズーム比      23.00
広角端     中間     望遠端
ｆ                 5.28     25.31    121.50
ＦＮＯ．           1.63      3.40      4.50
２ω              70.82     15.58      3.23
ＩＨ               3.60      3.60      3.60
ＢＦ(in air)       3.84      3.84      3.84
ＬＴＬ(in air)    89.29     89.29     89.29
d7           0.60     16.01     26.18
d14         34.54     12.74      2.28
d22          2.00      6.61      2.00
d25          2.40      4.19      9.09
各群焦点距離
f1=42.56   f2=-7.17   f3=14.65   f4=-11.77   f5=15.49
【０１９８】
数値実施例３
単位  ｍｍ
面データ
面番号       r          d         nd        νd
物面       ∞         ∞
1     101.325      1.80     1.88300    40.76
2      43.803      8.85     1.43875    94.93
3    -406.863      0.18
4      45.668      5.27     1.49700    81.54
5     177.307      0.18
6      52.732      4.61     1.49700    81.54
7     480.427      可変
8*    -98.148      1.00     1.85135    40.10
9*     11.503      6.28
10     -14.871      0.50     1.55032    75.50
11      25.421      3.03     1.92286    20.88
12    -109.248      可変
13(絞り)  ∞        0.00
14*     12.309      5.17     1.74320    49.34
15*   -111.777      0.98
16     542.713      0.50     1.60342    38.03
17      13.805      3.08
18      22.378      0.40     1.85026    32.27
19       8.636      4.75     1.49700    81.54
20     -55.400      5.96
21      14.827      2.16     1.55032    75.50
22      83.083      可変
23     -44.755      1.67     1.80518    25.42
24     -25.242      0.40     1.74320    49.34
25*     17.364      可変
26*     13.164      1.92     1.74320    49.34
27*    -58.476      0.30
28        ∞        2.12     1.51633    64.14
29        ∞        2.13
撮像面       ∞
非球面データ
第８面
k=0.000
A4=5.50918e-05,A6=-4.23935e-08,A8=-7.49161e-10,
A10=1.75420e-12
第９面
k=0.000
A4=3.08495e-05,A6=1.21188e-07,A8=9.03771e-09
第１４面
k=0.000
A4=-3.10937e-05,A6=-1.49209e-07,A8=-2.26123e-10,
A10=-8.11110e-12
第１５面
k=0.000
A4=2.40777e-05,A6=-6.59087e-08,A8=7.85749e-11,
A10=2.81942e-12
第２５面
k=0.000
A4=-1.97924e-05,A6=-2.09989e-06,A8=4.83988e-08
第２６面
k=0.000
A4=4.96161e-05,A6=-2.64216e-06,A8=4.62613e-08
第２７面
k=0.000
A4=1.65710e-04
ズームデータ
ズーム比      40.00
広角端     中間     望遠端
ｆ                 4.85     30.65    193.99
ＦＮＯ．           1.64      3.51      4.86
２ω              75.55     12.81      2.02
ＩＨ               3.60      3.60      3.60
ＢＦ(in air)       3.82      3.82      3.82
ＬＴＬ(in air)   129.28    129.28    129.28
d7           0.60     25.83     43.43
d12         58.68     19.87      2.28
d22          3.98      9.75      2.62
d25          3.50     11.31     18.44  
各群焦点距離
f1=62.35   f2=-9.84   f3=21.30   f4=-16.90   f5=14.62
【０１９９】
数値実施例４
単位  ｍｍ
面データ
面番号       r          d         nd        νd
物面       ∞         ∞
1     117.187      2.00     1.88300    40.76
2      47.194      9.81     1.43875    94.93
3    -290.648      0.18
4      49.864      5.78     1.49700    81.54
5     214.724      0.18
6      53.848      5.65     1.49700    81.54
7     694.612      可変
8*   -123.115      1.00     1.85135    40.10
9*     12.032      6.58
10     -14.353      0.50     1.55032    75.50
11      26.130      3.09     1.92286    20.88
12    -117.700      可変
13(絞り)  ∞        0.00
14*     13.463      6.45     1.74320    49.34
15*    -53.683      0.85
16     -94.268      0.50     1.62035    34.19
17      16.587      3.38
18      25.839      0.40     1.85026    32.27
19       9.109      5.24     1.49700    81.54
20     -52.634      3.44
21      14.535      2.45     1.55233    50.36
22      85.956      可変
23    -482.631      1.09     1.80518    25.42
24     -54.394      0.40     1.74320    49.34
25*     11.821      可変
26*     21.331      3.36     1.74320    49.34
27*    -26.322      0.30
28        ∞        2.12     1.51633    64.14
29        ∞        2.13
撮像面       ∞
非球面データ
第８面
k=0.000
A4=4.59781e-05,A6=-6.20623e-08,A8=-1.15639e-10,
A10=-5.13778e-13
第９面
k=0.000
A4=2.77282e-05,A6=-1.89302e-08,A8=9.62194e-09
第１４面
k=0.000
A4=-2.22589e-05,A6=-7.98107e-08,A8=-2.14489e-10,
A10=-3.00000e-12
第１５面
k=0.000
A4=3.22935e-05,A6=-9.15485e-08,A8=6.63055e-11,
A10=1.73518e-12
第２５面
k=0.000
A4=-2.85879e-05,A6=-2.25904e-06,A8=8.82363e-08
第２６面
k=0.000
A4=-4.87622e-04,A6=-1.36973e-05,A8=-7.21269e-08
第２７面
k=0.000
A4=-7.08982e-04,A6=-3.03954e-06,A8=1.27290e-08
ズームデータ
ズーム比      38.00
広角端     中間     望遠端
ｆ                 5.79     35.67    220.01
ＦＮＯ．           1.66      3.50      4.86
２ω              74.48     12.83      2.06
ＩＨ               4.20      4.20      4.20
ＢＦ(in air)       3.82      3.82      3.82
ＬＴＬ(in air)   134.28    134.28    134.28
d7           0.60     28.67     44.12
d12         57.50     19.49      2.28
d22          4.55     11.20      2.50
d25          5.47      8.76     19.23
各群焦点距離
f1=63.49   f2=-9.98   f3=20.95   f4=-15.76   f5=16.35
【０２００】
数値実施例５
単位  ｍｍ
面データ
面番号       r          d         nd        νd
物面       ∞         ∞
1     107.714      2.00     1.88300    40.76
2      45.410      9.71     1.43875    94.93
3    -494.106      0.18
4      48.505      6.25     1.49700    81.54
5     259.815      0.18
6      54.366      5.47     1.49700    81.54
7     499.183      可変
8*   -106.869      1.00     1.85135    40.10
9*     11.595      6.40
10     -16.396      0.70     1.55032    75.50
11      25.334      3.17     1.92286    20.88
12    -115.321      可変
13(絞り)  ∞        0.00
14*     13.321      5.89     1.74320    49.34
15*    -57.484      0.97
16    -715.255      0.70     1.64858    31.26
17      16.304      4.05
18      37.404      0.40     1.85026    32.27
19       9.364      4.88     1.49700    81.54
20     -50.637      2.80
21      15.192      2.48     1.55793    46.68
22     255.364      可変
23     -87.718      0.98     1.80518    25.42
24     -54.050      0.40     1.74320    49.34
25*     13.768      可変
26*     22.814      3.40     1.74320    49.34
27*    -21.477      0.30
28        ∞        2.12     1.51633    64.14
29        ∞        2.13
撮像面       ∞
非球面データ
第８面
k=0.000
A4=3.45208e-05,A6=6.71452e-09,A8=-7.56622e-10,
A10=2.13342e-12
第９面
k=0.000
A4=6.74586e-06,A6=1.01235e-07,A8=3.97278e-09
第１４面
k=0.000
A4=-2.60000e-05,A6=-1.00274e-07,A8=-1.38853e-10,
A10=-3.71310e-12
第１５面
k=0.000
A4=3.37463e-05,A6=-9.15950e-08,A8=2.40631e-10,
A10=8.35367e-13
第２５面
k=0.000
A4=-1.34821e-05,A6=-2.70414e-06,A8=1.03758e-07
第２６面
k=0.000
A4=-2.91132e-04,A6=-1.75541e-05,A8=3.86548e-07,
A10=-1.38546e-08
第２７面
k=0.000
A4=-3.15000e-04,A6=-9.44000e-06,A8=5.38000e-08,
A10=-1.84000e-09
ズームデータ
ズーム比      38.00
広角端     中間     望遠端
ｆ                 5.67     34.94    215.53
ＦＮＯ．           1.63      3.44      4.88
２ω              76.25     13.15      2.12
ＩＨ               4.20      4.20      4.20
ＢＦ(in air)       3.82      3.82      3.82
ＬＴＬ(in air)   134.28    134.28    134.28
d7           0.60     28.47     44.02
d12         58.30     20.07      2.28
d22          5.87     11.98      2.50
d25          3.67      7.93     19.64
各群焦点距離
f1=63.73   f2=-10.47   f3=21.55   f4=-16.03   f5=15.39
【０２０１】
数値実施例６
単位  ｍｍ
面データ
面番号       r          d         nd        νd
物面       ∞         ∞
1      98.210      1.80     1.88300    40.76
2      43.350      9.45     1.43875    94.93
3    -573.227      0.18
4      46.134      5.41     1.49700    81.54
5     151.587      0.18
6      49.264      5.05     1.49700    81.54
7     467.153      可変
8*   -114.661      1.00     1.85135    40.10
9*     11.594      6.47
10     -14.155      0.50     1.55032    75.50
11      32.038      2.74     1.92286    20.88
12    -109.415      可変
13(絞り)  ∞        0.00
14*     12.924      5.28     1.74320    49.34
15*    -86.742      0.87
16    -224.609      0.50     1.60342    38.03
17      14.716      4.82
18      27.042      0.57     1.85026    32.27
19       9.600      4.29     1.49700    81.54
20     -66.027      2.70
21      16.261      2.50     1.55032    75.50
22    -107.422      可変
23     -87.958      1.22     1.98612    16.48
24     -24.853      0.40     1.88300    40.80
25*     40.876      可変
26*     23.032      0.40     1.88202    37.22
27       6.261      0.10
28       6.218      2.61     1.49700    81.61
29     -26.696      0.30
30        ∞        2.12     1.51633    64.14
31        ∞        2.13
撮像面       ∞
非球面データ
第８面
k=0.000
A4=4.29117e-05,A6=3.77372e-07,A8=-4.06303e-09,
A10=1.04361e-11
第９面
k=0.000
A4=1.12275e-05,A6=6.44411e-07,A8=9.65513e-09
第１４面
k=0.000
A4=-2.81724e-05,A6=-1.00042e-07,A8=-1.71389e-10,
A10=-6.27995e-12
第１５面
k=0.000
A4=2.47797e-05,A6=-4.66770e-08,A8=-1.89181e-10,
A10=2.00206e-12
第２５面
k=0.000
A4=-4.17441e-06,A6=8.41651e-08,A8=-1.05493e-08
第２６面
k=0.000
A4=-1.03921e-04,A6=-3.28179e-06,A8=-2.38147e-08
ズームデータ
ズーム比      40.00
広角端     中間     望遠端
ｆ                 4.93     31.16    197.22
ＦＮＯ．           1.76      3.60      5.18
２ω              73.88     12.71      2.01
ＩＨ               3.60      3.60      3.60
ＢＦ(in air)       3.82      3.82      3.82
ＬＴＬ(in air)   131.28    131.28    131.28
d7           0.60     27.01     43.04
d12         59.72     21.43      2.28
d22          6.58      7.45      2.50
d25          1.50     12.51     20.58
各群焦点距離
f1=62.76   f2=-9.30   f3=20.65   f4=-34.70   f5=-500.95
【０２０２】
数値実施例７
単位  ｍｍ
面データ
面番号       r          d         nd        νd
物面       ∞         ∞
1     102.143      1.80     1.88300    40.76
2      44.111      9.51     1.43875    94.93
3    -467.797      0.18
4      46.391      5.41     1.49700    81.54
5     151.190      0.18
6      48.418      5.11     1.49700    81.54
7     417.637      可変
8*   -111.855      1.00     1.85135    40.10
9*     11.734      6.58
10     -14.080      0.50     1.55032    75.50
11      32.262      2.79     1.92286    20.88
12    -113.767      可変
13(絞り)  ∞        0.00
14*     12.900      5.29     1.74320    49.34
15*    -86.572      0.87
16    -183.280      0.50     1.60342    38.03
17      14.741      4.66
18      24.200      0.71     1.85026    32.27
19       9.284      4.06     1.49700    81.54
20     -81.329      3.31
21      16.066      2.38     1.55032    75.50
22    -122.544      可変
23     -76.924      1.20     1.98612    16.48
24     -23.240      0.40     1.88300    40.80
25*     43.268      可変
26*     19.943      0.40     1.88202    37.22
27       6.121      2.54     1.43875    94.66
28     -17.868      0.30
29        ∞        2.12     1.51633    64.14
30        ∞        2.13
撮像面       ∞
非球面データ
第８面
k=0.000
A4=4.23956e-05,A6=3.84304e-07,A8=-4.23222e-09,
A10=1.13823e-11
第９面
k=0.000
A4=1.05403e-05,A6=7.59170e-07,A8=7.67389e-09
第１４面
k=0.000
A4=-2.79453e-05,A6=-9.43714e-08,A8=-2.23776e-10,
A10=-7.14702e-12
第１５面
k=0.000
A4=2.34175e-05,A6=-3.41245e-08,A8=-4.08755e-10,
A10=2.43584e-12
第２５面
k=0.000
A4=-3.48993e-06,A6=1.21990e-07,A8=-2.00781e-08
第２６面
k=0.000
A4=-1.36064e-04,A6=-2.42234e-06,A8=5.21722e-09
ズームデータ
ズーム比      40.00
広角端     中間     望遠端
ｆ                 4.91     31.05    196.55
ＦＮＯ．           1.75      3.58      5.18
２ω              73.81     12.62      1.99
ＩＨ               3.60      3.60      3.60
ＢＦ(in air)       3.82      3.82      3.82
ＬＴＬ(in air)   131.28    131.28    131.28
d7           0.60     27.02     42.98
d12         59.65     21.41      2.28
d22          6.43      7.34      2.50
d25          1.41     12.31     20.33
各群焦点距離
f1=62.70   f2=-9.27   f3=20.70   f4=-34.54   f5=-500.18
【０２０３】
数値実施例８
単位  ｍｍ
面データ
面番号       r          d         nd        νd
物面       ∞         ∞
1     105.173      1.80     1.88300    40.76
2      44.394      8.51     1.43875    94.93
3    -891.218      0.18
4      49.058      5.44     1.49700    81.54
5     264.884      0.18
6      49.219      4.91     1.49700    81.54
7     456.972      可変
8*   -123.817      1.00     1.85135    40.10
9*     11.444      6.34
10     -14.434      0.50     1.55032    75.50
11      26.046      3.12     1.92286    20.88
12    -103.589      可変
13(絞り)  ∞        0.00
14*     12.328      5.16     1.74320    49.34
15*    -97.146      0.95
16    3208.564      0.50     1.60342    38.03
17      13.625      3.14
18      21.547      0.48     1.85026    32.27
19       8.612      6.41     1.49700    81.54
20     -65.777      6.20
21      15.165      2.23     1.55032    75.50
22     107.186      可変
23     -44.869      1.77     1.80518    25.42
24     -27.967      0.40     1.74320    49.34
25*     17.785      可変
26*     13.394      1.84     1.74320    49.34
27*    -58.321      0.30
28        ∞        2.12     1.51633    64.14
29        ∞        2.13
撮像面       ∞
非球面データ
第８面
k=0.000
A4=6.27679e-05,A6=-4.61276e-08,A8=-9.66567e-10,
A10=2.48700e-12
第９面
k=0.000
A4=4.24556e-05,A6=1.69848e-07,A8=9.76631e-09
第１４面
k=0.000
A4=-3.15220e-05,A6=-1.43109e-07,A8=-3.68318e-10,
A10=-6.75502e-12
第１５面
k=0.000
A4=2.36012e-05,A6=-5.52824e-08,A8=-1.22254e-11,
A10=3.44260e-12
第２５面
k=0.000
A4=-2.45195e-05,A6=-2.37408e-06,A8=5.73836e-08
第２６面
k=0.000
A4=-1.10234e-04,A6=-5.62527e-06,A8=3.31973e-08
第２７面
k=0.000
A4=-9.31816e-05
ズームデータ
ズーム比      40.00
広角端     中間     望遠端
ｆ                 4.85     30.65    193.99
ＦＮＯ．           1.64      3.47      4.94
２ω              74.16     12.83      2.02
ＩＨ               3.60      3.60      3.60
ＢＦ(in air)       3.82      3.82      3.82
ＬＴＬ(in air)   131.15    131.15    131.15
d7           0.60     26.07     43.29
d12         58.98     19.85      2.28
d22          3.84      9.77      2.69
d25          2.84     10.56     18.00
各群焦点距離
f1=62.26   f2=-9.85   f3=22.19   f4=-17.13   f5=14.82
【０２０４】
数値実施例９
単位  ｍｍ
面データ
面番号       r          d         nd        νd
物面       ∞         ∞
1     104.214      1.80     1.88300    40.76
2      44.547      9.25     1.43875    94.93
3    -414.636      0.18
4      47.030      5.25     1.49700    81.54
5     156.823      0.18
6      48.547      4.99     1.49700    81.54
7     445.294      可変
8*   -118.170      1.00     1.85135    40.10
9*     11.636      6.47
10     -14.116      0.50     1.55032    75.50
11      30.605      2.80     1.92286    20.88
12    -110.143      可変
13(絞り)  ∞        0.00
14*     12.896      5.39     1.74320    49.34
15*    -95.438      0.92
16    -212.717      0.50     1.60342    38.03
17      14.985      4.45
18      23.626      0.68     1.85026    32.27
19       9.076      4.47     1.49700    81.54
20     -71.643      3.90
21      15.457      2.46     1.55032    75.50
22    -351.385      可変
23     -72.450      1.23     1.98612    16.48
24     -23.143      0.40     1.88300    40.80
25*     35.067      可変
26*     26.203      0.40     1.88202    37.22
27       7.369      0.10
28       7.215      2.87     1.49700    81.61
29     -12.987      0.30
30        ∞        2.12     1.51633    64.14
31        ∞        2.13
撮像面       ∞
非球面データ
第８面
k=0.000
A4=4.06093e-05,A6=3.48661e-07,A8=-3.62581e-09,
A10=9.09073e-12
第９面
k=0.000
A4=1.15134e-05,A6=5.30641e-07,A8=9.41933e-09
第１４面
k=0.000
A4=-2.75103e-05,A6=-1.04390e-07,A8=-1.83841e-10,
A10=-6.02716e-12
第１５面
k=0.000
A4=2.12500e-05,A6=-4.28396e-08,A8=-1.33012e-10,
A10=1.99328e-12
第２５面
k=0.000
A4=-4.91879e-06,A6=-1.73227e-07,A8=-5.68436e-09
第２６面
k=0.000
A4=-2.19697e-04,A6=-9.25732e-07,A8=-2.43858e-08
ズームデータ
ズーム比      40.00
広角端     中間     望遠端
ｆ                 4.85     30.68    194.17
ＦＮＯ．           1.71      3.61      5.02
２ω              74.31     12.82      2.03
ＩＨ               3.60      3.60      3.60
ＢＦ(in air)       3.82      3.82      3.82
ＬＴＬ(in air)   131.28    131.28    131.28
d7           0.60     26.05     43.08
d12         59.33     20.63      2.28
d22          5.54      7.72      2.51
d25          1.80     12.87     19.39
各群焦点距離
f1=62.43   f2=-9.40   f3=21.08   f4=-28.94   f5=42.90
【０２０５】
数値実施例１０
単位  ｍｍ
面データ
面番号       r          d         nd        νd
物面       ∞         ∞
1      98.580      1.80     1.88300    40.76
2      43.657      8.82     1.43875    94.93
3   -1513.058      0.18
4      55.615      4.30     1.49700    81.54
5     162.451      0.18
6      39.783      6.25     1.49700    81.54
7     347.137      可変
8*   -208.836      1.00     1.85135    40.10
9*     10.739      6.74
10     -14.585      0.50     1.55032    75.50
11      28.504      3.00     1.92286    20.88
12    -101.724      可変
13(絞り)  ∞        0.00
14*     13.116      6.82     1.74320    49.34
15*    -75.210      0.77
16    -155.372      0.50     1.60342    38.03
17      16.058      3.22
18      24.604      0.40     1.85026    32.27
19       8.771      6.15     1.49700    81.54
20     -87.779      4.78
21      18.216      2.86     1.55032    75.50
22*    -75.122      可変
23     -45.171      1.06     1.98612    16.48
24     -27.342      0.40     1.88300    40.80
25*     57.494      可変
26        ∞        2.12     1.51633    64.14
27        ∞        2.13
撮像面       ∞
非球面データ
第８面
k=0.000
A4=6.37420e-05,A6=-4.91662e-08,A8=-1.90651e-09,
A10=6.80358e-12
第９面
k=0.000
A4=3.12247e-05,A6=7.10193e-07,A8=1.52586e-09
第１４面
k=0.000
A4=-2.60762e-05,A6=-6.66582e-08,A8=-2.54822e-10,
A10=-3.43689e-12
第１５面
k=0.000
A4=2.82972e-05,A6=-6.66924e-09,A8=-4.61191e-10,
A10=3.38898e-12
第２２面
k=0.000
A4=-3.54888e-06,A6=-2.24783e-07,A8=5.93566e-09
第２５面
k=0.000
A4=-2.29067e-05,A6=2.13802e-06,A8=-1.02251e-07
ズームデータ
ズーム比      40.00
広角端     中間     望遠端
ｆ                 5.10     32.23    204.00
ＦＮＯ．           1.77      3.70      5.34
２ω              74.31     12.81      2.02
ＩＨ               3.60      3.60      3.60
ＢＦ(in air)       5.24     15.67     23.81
ＬＴＬ(in air)   131.28    131.28    131.28
d7           0.60     26.47     42.97
d12         58.86     20.40      2.28
d22          6.86      9.01      2.50
d25          1.71     12.15     20.28
各群焦点距離
f1=62.59   f2=-9.51   f3=22.34   f4=-29.75
【０２０６】
数値実施例１１
単位  ｍｍ
面データ
面番号       r          d         nd        νd
物面       ∞         ∞
1     101.325      1.80     1.88300    40.76
2      43.803      8.85     1.43875    94.93
3    -406.863      0.18
4      45.668      5.27     1.49700    81.54
5     177.307      0.18
6      52.732      4.61     1.49700    81.54
7     480.427      可変
8*    -98.148      1.00     1.85135    40.10
9*     11.503      6.28
10     -14.871      0.50     1.55032    75.50
11      25.421      3.03     1.92286    20.88
12    -109.248      可変
13(絞り)  ∞        0.00
14*     12.309      5.17     1.74320    49.34
15*   -111.777      0.98
16     542.713      0.50     1.60342    38.03
17      13.805      3.08
18      22.378      0.40     1.85026    32.27
19       8.636      4.75     1.49700    81.54
20     -55.400      5.96
21      14.827      2.16     1.55032    75.50
22      83.083      可変
23     -44.755      1.67     1.80518    25.42
24     -25.242      0.40     1.74320    49.34
25*     17.364      可変
26*     13.164      1.92     1.74320    49.34
27*    -58.476      0.30 
28        ∞        2.12     1.51633    64.14
29        ∞        2.13
撮像面       ∞
非球面データ
第８面
k=0.000
A4=5.50918e-05,A6=-4.23935e-08,A8=-7.49161e-10,
A10=1.75420e-12
第９面
k=0.000
A4=3.08495e-05,A6=1.21188e-07,A8=9.03771e-09
第１４面
k=0.000
A4=-3.10937e-05,A6=-1.49209e-07,A8=-2.26123e-10,
A10=-8.11110e-12
第１５面
k=0.000
A4=2.40777e-05,A6=-6.59087e-08,A8=7.85749e-11,
A10=2.81942e-12
第２５面
k=0.000
A4=-1.97924e-05,A6=-2.09989e-06,A8=4.83988e-08
第２６面
k=0.000
A4=4.96161e-05,A6=-2.64216e-06,A8=4.62613e-08
第２７面
k=0.000
A4=1.65710e-04
ズームデータ
ズーム比      41.30
広角端     中間     望遠端
ｆ                 4.85     30.65    200.31
ＦＮＯ．           1.64      3.51      4.96
２ω              75.55     12.81      1.95
ＩＨ               3.60      3.60      3.60
ＢＦ(in air)       3.82      3.82      3.83
ＬＴＬ(in air)   129.28    129.28    129.49
d7           0.60     25.83     43.63
d12         58.68     19.87      2.28
d22          3.98      9.75      1.83
d25          3.50     11.31     19.23
各群焦点距離
f1=62.35   f2=-9.84   f3=21.30   f4=-16.90   f5=14.62
【０２０７】
次に、各実施例における条件式の値を以下に掲げる。-（ハイフン）は該当する構成がないことを示す。
条件式            実施例１   実施例２   実施例３   実施例４
(1)Δ1G/Δ2G       0.000      0.000      0.000      0.000
(2)dG3L12/dG3      0.172      0.170      0.259      0.151
(3)|fG3L2/fG3|     2.118      2.151      1.523      1.493
(4)|fG3Lo/fG3|     0.899      0.906      0.713      0.721
(5)SFG3L2         -2.625     -2.682     -1.434     -1.407
(6)|(1-βG3L2w)
×βbackw|   0.416      0.419      0.453      0.600
(7)|(1-βG3L2t)
×βbackt|   0.647      0.638      0.811      0.923
(8)fG3/fw          2.784      2.773      4.391      3.618
(9)fG3/ft          0.127      0.121      0.110      0.095
(10)β2Gt/β2Gw   12.51      13.49      19.69      23.47
(11)dG3L12/fG3L2   0.0962     0.0949     0.1838     0.1099
(12)νd1Gn        24.8       24.8       40.76      40.76
(13)θg,F1Gn       0.612      0.612      0.567      0.567
(14)ft/fw         22.00      23.00      40.00      38.00
条件式            実施例５   実施例６   実施例７   実施例８
(1)Δ1G/Δ2G       0.000      0.000      0.000      0.000
(2)dG3L12/dG3      0.126      0.125      0.152      0.247
(3)|fG3L2/fG3|     1.338      1.252      1.254      1.434
(4)|fG3Lo/fG3|     0.700      0.750      0.747      0.677
(5)SFG3L2         -1.127     -0.737     -0.768     -1.330
(6)|(1-βG3L2w)
×βbackw|   0.622      0.713      0.692      0.601
(7)|(1-βG3L2t)
×βbackt|   0.978      1.385      1.360      0.822
(8)fG3/fw          3.800      4.188      4.214      4.575
(9)fG3/ft          0.100      0.105      0.105      0.114
(10)β2Gt/β2Gw   24.16      15.44      15.32      18.82
(11)dG3L12/fG3L2   0.0971     0.1046     0.1273     0.1947
(12)νd1Gn        40.76      40.76      40.76      40.76
(13)θg,F1Gn       0.567      0.567      0.567      0.567
(14)ft/fw         38.00      40.00      40.00      40.00
条件式            実施例９   実施例１０   実施例１１
(1)Δ1G/Δ2G       0.000      0.000       -0.005
(2)dG3L12/dG3      0.171      0.187        0.259
(3)|fG3L2/fG3|     1.279      1.206        1.523
(4)|fG3Lo/fG3|     0.741      0.696        0.713
(5)SFG3L2         -0.916      -0.610      -1.434
(6)|(1-βG3L2w)
×βbackw|   0.627      0.594        0.453
(7)|(1-βG3L2t)
×βbackt|   1.204      1.190        0.790
(8)fG3/fw          4.342      4.380        4.391
(9)fG3/ft          0.109      0.110        0.106
(10)β2Gt/β2Gw   16.47      16.58        21.57
(11)dG3L12/fG3L2   0.1445     0.1775       0.1838
(12)νd1Gn        40.76      40.76        40.76
(13)θg,F1Gn       0.567      0.567        0.567
(14)ft/fw         40.00      40.00        41.30
【０２０８】
図２３は、撮像装置としての一眼ミラーレスカメラの断面図である。図２３において、一眼ミラーレスカメラ１の鏡筒内には撮影光学系２が配置される。マウント部３は、撮影光学系２を一眼ミラーレスカメラ１のボディに着脱可能とする。マウント部３としては、スクリュータイプのマウントやバヨネットタイプのマウント等が用いられる。この例では、バヨネットタイプのマウントを用いている。また、一眼ミラーレスカメラ１のボディには、撮像素子面４、バックモニタ５が配置されている。なお、撮像素子としては、小型のＣＣＤ又はＣＭＯＳ等が用いられている。
【０２０９】
そして、一眼ミラーレスカメラ１の撮影光学系２として、例えば上記実施例に示した変倍光学系が用いられる。
【０２１０】
図２４、図２５は、撮像装置の構成の概念図を示す。図２４は撮像装置としてのデジタルカメラ４０の前方斜視図、図２５は同後方斜視図である。このデジタルカメラ４０の撮影光学系４１に、本実施例の変倍光学系が用いられている。
【０２１１】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１の変倍光学系を通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０２１２】
図２６は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０２１３】
図２６に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０２１４】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０２１５】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０２１６】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０２１７】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０２１８】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０２１９】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０２２０】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０２２１】
本実施形態の変倍光学系は、監視カメラや内視鏡に使用できる。撮像装置は、上述の一眼ミラーレスカメラに限られない。監視カメラや内視鏡も本実施形態の撮像装置に含まれる。
【０２２２】
なお、本発明は、その趣旨を逸脱しない範囲で様々な変形例をとることができる。また、上記各実施例により示された形状枚数には必ずしも限定されない。また、上記各実施例において、カバーガラスは必ずしも配置しなくても良い。また、各レンズ群内又は各レンズ群外に、上記各実施例に図示されていないレンズであって実質的に屈折力を有さないレンズを配置してもよい。
【産業上の利用可能性】
【０２２３】
以上のように、本発明は、光学系の全長が短く小型でありながら、ブレ補正時でも高い結像性能を有する変倍光学系及びそれを備えた撮像装置に適している。
【符号の説明】
【０２２４】
Ｇ１  第１レンズ群
Ｇ２  第２レンズ群
Ｇ３  第３レンズ群
Ｇ４  第４レンズ群
Ｇ５  第５レンズ群
Ｓ  開口絞り
Ｉ  撮像面
１  一眼ミラーレスカメラ
２  撮影光学系
３  マウント部
４  撮像素子面
５  バックモニタ
１２  操作部
１３  制御部
１４、１５  バス
１６  撮像駆動回路
１７  一時記憶メモリ
１８  画像処理部
１９  記憶媒体部
２０  表示部
２１  設定情報記憶メモリ部
２２  バス
２４  ＣＤＳ／ＡＤＣ部
４０  デジタルカメラ
４１  撮影光学系
４２  撮影用光路
４５  シャッターボタン
４７  液晶表示モニター
４９  ＣＣＤ
【図１】
2019132887.tif 000003
【図２】
2019132887.tif 000004
【図３】
2019132887.tif 000005
【図４】
2019132887.tif 000006
【図５】
2019132887.tif 000007
【図６】
2019132887.tif 000008
【図７】
2019132887.tif 000009
【図８】
2019132887.tif 000010
【図９】
2019132887.tif 000011
【図１０】
2019132887.tif 000012
【図１１】
2019132887.tif 000013
【図１２】
2019132887.tif 000014
【図１３】
2019132887.tif 000015
【図１４】
2019132887.tif 000016
【図１５】
2019132887.tif 000017
【図１６】
2019132887.tif 000018
【図１７】
2019132887.tif 000019
【図１８】
2019132887.tif 000020
【図１９】
2019132887.tif 000021
【図２０】
2019132887.tif 000022
【図２１】
2019132887.tif 000023
【図２２】
2019132887.tif 000024
【図２３】
2019132887.tif 000025
【図２４】
2019132887.tif 000026
【図２５】
2019132887.tif 000027
【図２６】
2019132887.tif 000028